(57)【特許請求の範囲】
【請求項１】
装飾板と、
前記装飾板に備えられる広告部と、
前記装飾板の前記広告部を除く部分を覆うつる性植物と、
前記装飾板の前記広告部を除く近傍に配置され、前記つる性植物を水耕栽培するための培地が収容される栽培槽と、
前記つる性植物が前記広告部を覆うことを規制する規制部材と、を備え、
前記広告部は、前記装飾板から突出し、
前記規制部材は、前記広告部の前記装飾板とは反対側の面に当接するように固定され、前記装飾板の前記広告部の周囲に対向する部分を更に有する透明板であること、
を特徴とする広告体。
【請求項２】
前記装飾板は、所定の空間を取り囲むように形成されていることを特徴とする請求項１に記載の広告体。
【発明の詳細な説明】
【技術分野】
【０００１】
本発明は、広告体に関する。
【背景技術】
【０００２】
例えば、セダム類や蘚苔類等の背丈の低い多年草からなる植物によって建築物の壁面等を緑化した広告体が知られている。この広告体では、建築物の壁面に対して、軟質合成樹脂性の遮水シートが貼着され、この遮水シートの上にオレフィン系樹脂の排水マット、ポリエステル製の防根シート及び植生マットが積層されて固定されている。植生マットは、オレフィン系樹脂の合成繊維等を不織布状に堆積して薄層板状に形成した基盤マットの繊維の間隙に、植物を植え込むための培地を摺り込んで充填したものである。そして、この植生マットに播種又は苗播して植物を植生させている（例えば特許文献１を参照）。
【先行技術文献】
【特許文献】
【０００３】
【特許文献１】特開２００５−３１３００号公報
【発明の概要】
【発明が解決しようとする課題】
【０００４】
しかしながら、前述した広告体では、培地が充填された植生マットを建築物の壁面に固定する必要がある。このため、緑化する壁面の面積が広くなるにつれて多量の培地が必要となり、広告体の壁面にかかる重量が増加する。これによって、広告体自体にかかる負担が大きくなるという問題があった。更に、培地が屋外における風雨に曝されるため、植物を植生させるために十分な耐久性が得られない虞があった。
【０００５】
本発明はかかる課題に鑑みてなされたものであり、その目的とするところは、壁面に培地を備えず軽量且つ簡易な構成とでき、耐久性の向上を図ることが可能な広告体を提供することにある。
【課題を解決するための手段】
【０００６】
前記課題を解決するための発明は、装飾板と、前記装飾板に備えられる広告部と、前記装飾板の前記広告部を除く部分を覆うつる性植物と、前記装飾板の前記広告部を除く近傍に配置され、前記つる性植物を水耕栽培するための培地が収容される栽培槽と、前記つる性植物が前記広告部を覆うことを規制する規制部材と、を備え、前記広告部は、前記装飾板から突出し、前記規制部材は、前記広告部の前記装飾板とは反対側の面に当接するように固定され、前記装飾板の前記広告部の周囲に対向する部分を更に有する透明板である。
【０００７】
本発明の他の特徴については、添付図面及び本明細書の記載により明らかとなる。
【発明の効果】
【０００８】
本発明によれば、壁面に培地を備えず軽量且つ簡易な構成とでき、耐久性の向上を図ることが可能な広告体を提供することができる。
【図面の簡単な説明】
【０００９】
【図１Ａ】第１の実施形態にかかる広告体がビルの屋上に設置された場合の外観を示す斜視図である。
【図１Ｂ】図１Ａに示す広告体において、つる性植物を省略した図である。
【図２】図１Ａに示す広告体に備えられる栽培槽を長手方向に沿って切断した場合の部分断面図である。
【図３】図１Ａに示す広告体に備えられる栽培装置の循環系統図である。
【図４Ａ】図１Ａに示す広告体に備えられる装飾板について、つる性植物及び栽培装置を省略した場合の広告面の一部を示す図である。
【図４Ｂ】図４Ａに示す装飾板の側面を示す図である。
【図５Ａ】図１Ａに示す広告体に備えられる装飾板の広告面の一部を示す図である。
【図５Ｂ】図５Ａに示す装飾板の側面を示す図である。
【図５Ｃ】図５Ａに示す装飾板の上面を示す図である。
【図６Ａ】第２の実施形態にかかる広告体がビルの屋上に設置された場合の外観を示す斜視図である。
【図６Ｂ】図６Ａに示す広告体において、つる性植物を省略した図である。
【図７】図６Ａに示す広告体の上面を省略した平面図である。
【図８】図６Ａに示す広告体の上面を示す図である。
【図９Ａ】図８に示す広告体の装飾板をａ−ａ’で切断した場合の部分断面図である。
【図９Ｂ】図８に示す広告体の装飾板をｂ−ｂ’で切断した場合の部分断面図である。
【図１０Ａ】図６Ａに示す広告体の広告面を示す図である。
【図１０Ｂ】図１０Ａに示す広告体の裏面側を示す図である。
【図１１Ａ】第３の実施形態にかかる広告体の広告面を示す図である。
【図１１Ｂ】図１１Ａに示す広告体の側面を示す図である。
【図１２】第４の実施形態にかかる広告体の広告面を示す図である。
【発明を実施するための形態】
【００１０】
本明細書及び添付図面の記載により、少なくとも以下の事項が明らかとなる。
【００１１】
===第１の実施形態===
<<<外観構成について>>>
本実施形態にかかる広告体は、例えばビルの屋上に設けられる看板である。そこで、先ず、図１Ａ及び図１Ｂを参照しつつ、ビルの屋上に設けられた本実施形態にかかる広告体１の外観構成について説明する。尚、図１Ａは、広告体１がビルの屋上に設置された場合の外観を示す斜視図である。また、図１Ｂは、説明の便宜上、図１Ａに示す広告体１において、つる性植物４を省略した図である。広告体１は、装飾板２と、広告部３と、つる性植物４と、栽培槽５とを備えている。
【００１２】
装飾板２は、例えば矩形状の板部材であり、広告部３及び透明板９等が備えられた広告面２ａがビルの屋上に対して直立するように設置されている。装飾板２の上面２ｂには、広告面２ａに沿って複数の栽培槽５が載置されている。また、ビルの屋上における広告面２ａの付近には、同広告面２ａに沿って複数の栽培槽５が載置されている。尚、装飾板２及びこの装飾板２に備えられる広告部３及び透明板９等の詳細については後述する。
【００１３】
栽培槽５は、つる性植物４を水耕栽培するための培地を収容し、つる性植物４を培養するための養分を含んだ培養液を循環させる培養液循環ユニット１０と、供給管６及び回収管７を介して接続されている。栽培槽５内の培地に植え込まれたつる性植物４のつるは、栽培槽５に設けられた開口５０から栽培槽５の外部へ伸び出て、装飾板２における広告面２ａの広告部３を除く部分を覆っている。
【００１４】
つる性植物４としては、例えば耐寒性及び耐暑性に優れ、多年生であり、垂下性及び登坂性を有するという観点から、ウコギ科の植物が好適に用いられる。ウコギ科の植物としては、ヘデラ・ヘリックス、ヘデラ・アルジェニシス、ヘデラ・コルシカ、ヘデラ・ハイバニカ等が挙げられる。
【００１５】
<<<栽培装置について>>>
以下、栽培槽５、供給管６、回収管７、培養液循環ユニット１０を栽培装置と称し、この栽培装置について、図２及び図３を参照しつつ具体的に説明する。尚、図２は、栽培槽５を長手方向に沿って切断した場合の部分断面図である。また、図３は、栽培装置の循環系統図である。
【００１６】
栽培装置では、培養液循環ユニット１０の後述する培養液タンク１１に貯留された培養液が供給管６を介して栽培槽５内の培地に供給される。また、つる性植物４に吸収されずに培地を流れた余剰の培養液が回収管７を介して栽培槽５から排出されて培養液タンク１１へ回収される。つまり、栽培装置では、栽培槽５内の培地を流れた培養液が、回収管７、培養液循環ユニット１０、供給管６を介して、再び栽培槽５内の培地に供給され、栽培装置の内部を循環している。
【００１７】
尚、供給管６及び回収管７は、日光の照射により内部にアオコ等が発生することを防止するため、例えばポリ塩化ビニル等の遮光性を有する材料から形成されている。
【００１８】
<栽培槽について>
先ず、図２を参照しつつ、栽培槽５について説明する。栽培槽５は、例えばポリ塩化ビニル等の遮光性を有する材料からなり、上面が開放された直方体状を呈する栽培槽本体５１と、栽培槽本体５１の上面の開口を上方から覆うように栽培槽本体５１に着脱可能に取り付けられる蓋５２とから構成されている。
【００１９】
栽培槽本体５１を構成する短辺側の側板のうち、一方の側板（上流側板５１ａ）には供給口５３が形成され、他方の側板（下流側板５１ｂ）には排水口５４が形成されている。栽培槽本体５１は、この供給口５３が形成されている上流側板５１ａ側から排水口５４が形成されている下流側板５１ｂ側に向かって僅かに下り傾斜するように設置されている。
【００２０】
栽培槽本体５１の内部に収容された培地には、例えば、圧縮成形したピートモス等の透水性素材からなるポット８で育苗されたつる性植物４が、ポット８ごと植え込まれている。これにより、培地につる性植物４を定植する際に、つる性植物４の根を傷めてしまうことを防止できる。また、定植したつる性植物４を培地に徐々に順応させることができる。よって、つる性植物４をより確実に生育することができる。尚、培地には、例えば、栽培槽本体５１の長手方向に沿って、複数のつる性植物４が植え込まれている。
【００２１】
供給口５３は、供給管６の外径と略等しい長さの直径を有する円形状の開口であり、栽培槽本体５１に収容された培地の表面よりも上方となる位置に形成されている。この供給口５３から栽培槽本体５１の内部に挿通される供給管６によって、培地に植え込まれたつる性植物４に培養液が供給される。具体的には、供給口５３から栽培槽本体５１内に挿通された供給管６は、栽培槽本体５１の長手方向に沿って延在し、培地の表面に載置されている。この培地の表面に載置された供給管６の側面には、培養液を噴射させるため噴射口６０が長手方向に沿って複数形成されているため、培養液タンク１１からから供給管６に送られた培養液が、噴射口６０を介して、培地の表面に散水される。散水された培養液が培地の表面から栽培槽本体５１内の底面に向かって浸透することで、つる性植物４の根に培養液が供給される。尚、つる性植物４に吸収されずに栽培槽本体５１の底面まで落下した余剰の培養液は、栽培槽本体５１が前述したように下り傾斜するように設置されているため、下流側板５１ｂに向かって流れる。
【００２２】
排水口５４は、回収管７の外径と略等しい長さの直径を有する円形状の開口であり、栽培槽本体５１の底面側となる位置に形成されている。この排水口５４には回収管７が挿通されており、下流側板５１ｂに向かって流れた余剰の培養液は、排水口５４から回収管７を介して栽培槽本体５１の外部に排出され、培養液タンク１１に戻される。
【００２３】
蓋５２は、栽培槽５を清掃するとき等に栽培槽本体５１から取り外される。この蓋５２は、栽培槽本体５１と対向する面が開放された直方体の箱形状を呈している。そして、装飾板２の上面２ｂに載置される栽培槽５における蓋５２では、長辺側の側板に、つる性植物４のつるを栽培槽５の外へと導くための開口５０が形成されている（図１Ｂ参照）。また、ビルの屋上の広告面２ａの付近に配置される栽培槽５における蓋５２では、蓋５２の上面に開口５０が形成されている（図１Ｂ参照）。
【００２４】
尚、栽培槽本体５１に蓋５２を取り付けることで、栽培槽本体５１内のつる性植物４や培地等を強風や強雨から保護できる。また、栽培槽本体５１内に、藻類の発生原因となる日光や、培養液を希釈する雨水や、雑草の種子及び病原菌等が侵入することを防ぐことができる。更に、培地に供給された培養液が大気中に蒸発してしまうことを抑制できる。よって、つる性植物４をより確実に生育でき、広告体１の耐久性を向上させることができる。
【００２５】
<培養液循環ユニットについて>
次に、図３を参照しつつ、培養液循環ユニット１０について説明する。培養液循環ユニット１０は、培養液タンク１１と、ディスクフィルタ１２、１３と、ヒータ１４と、サーモコントローラ１５と、吸引口１６と、ポンプ１７と、電磁弁１８と、タイムスイッチ１９、培養液生成部２０と、紫外線滅菌装置２７とを有している。そして、これらの培養液循環ユニット１０の構成が箱型フレーム２８（図１Ａ、図１Ｂ参照）の中に収納されている。
【００２６】
ディスクフィルタ１２は、栽培槽５から回収管７に流入した余剰の培養液中に、例えば培地の一部等の異物が混入している場合に、培養液中からこの異物を取り除く。ディスクフィルタ１２によって異物が取り除かれた培養液は培養液タンク１１に排出される。培養液タンク１１は、例えばポリ塩化ビニル等の遮光性を有する材料からなり、回収管７からディスクフィルタ１２を介して排出された余剰の培養液と、培養液生成部２０によって生成された培養液とが収容される。
【００２７】
培養液生成部２０は、水道水と、つる性植物４を培養するための養分が濃縮された液肥とを混合して培養液を生成する。そして、培養液タンク１１に貯留される培養液が所定量よりも減少した場合に、生成した培養液を培養液タンク１１へ供給する。この培養液生成部２０は、ボールバルブ２１と、液肥混入器２２と、液肥タンク２３と、浮き玉２４とを備えている。ボールバルブ２１は、上水道の給水管２５から液肥混入器２２に水道水を引き込むための流路２６を開閉する。つまり、ボールバルブ２１によって、液肥混入器２２に水道水が供給されることを許可又は禁止することができる。
【００２８】
液肥混入器２２は、水道水と、液肥タンク２３に貯留される液肥とを混合して培養液を生成する。この液肥混入器２２は、例えば、培養液に対する浮き玉２４の浮力を利用して、培養液タンク１１内に貯留される培養液の水位が所定の水位となるように、培養液タンク１１に培養液を供給する。
【００２９】
具体的には、つる性植物４に吸収されること等により培養液が消費され、培養液タンク１１内に貯留される培養液の水位が所定の水位よりも低くなると、培養液の表面に浮かぶ浮き玉２４の液肥混入器２２に対する位置も所定位置より低くなる。これにより、液肥混入器２２から培養液タンク１１へ培養液が流れ込むようになっている。そして、液肥混入器２２から培養液タンク１１へ培養液が供給されることで、培養液タンク１１内の培養液の水位が上昇し所定の水位に達すると、浮き玉２４の液肥混入器２２に対する位置も所定位置まで上昇する。これによって、液肥混入器２２から培養液タンク１１への培養液の供給が停止されるようになっている。液肥タンク２３は、例えばポリ塩化ビニル等の遮光性を有する材料からなり、液肥が収容されている。
【００３０】
吸引口１６は、培養液タンク１１内の底面近傍に配置され、ポンプ１７が駆動することによって、培養液タンク１１から供給管６へ培養液を取り入れる。ポンプ１７は、吸引口１６を介して供給管６に培養液を取り入れ、この培養液が栽培槽５に送られるように、培養液に圧力を与えてディスクフィルタ１３側に送り出す。ディスクフィルタ１３は、ポンプ１７から送られた培養液に含まれる異物を培養液中から取り除く。
【００３１】
紫外線滅菌装置２７は、供給管６の途中に設けられ、供給管６を流れる培養液に紫外線を照射することによりつる性植物４の生育に有害な菌を滅菌する。電磁弁１８は、紫外線滅菌装置２７の下流側に設けられ、タイムスイッチ１９の制御に応じて供給管６を開閉する。これによって、栽培槽５に培養液を供給することを許可又は禁止できる。
【００３２】
タイムスイッチ１９は、栽培槽５に培養液を間欠的に供給するべく、電磁弁１８による供給管６の開閉を制御する。タイムスイッチ１９による電磁弁１８の制御によって、例えば、夏場では、つる性植物４の光合成が盛んに行われる日の出から日没までの間、一時間毎に栽培槽５に培養液を供給するように設定することができる。そして、つる性植物４が光合成を行わない日没後から日の出までの間は、栽培槽５への培養液の供給を停止することができる。一方、冬場では、気温が下がる夜間の時間帯のみ、供給管６や回収管７に培養液を循環させて、培養液が凍結してしまうことを防止することができる。これによって、より確実につる性植物４を生育することができる。
【００３３】
ヒータ１４は、培養液タンク１１の内部に設けられ、サーモコントローラ１５の制御に応じて、培養液の温度を上昇させる。サーモコントローラ１５は、ヒータ１４を制御することで、栽培槽５に供給される培養液がつる性植物４の培養に適した温度となるように、培養液タンク１１内の培養液の温度を調整する。
【００３４】
<<<装飾板について>>>
次に、図４Ａ、図４Ｂ、図５Ａ乃至図５Ｃを参照しつつ、装飾板２について説明する。尚、図４Ａは、装飾板２の広告面２ａに備えられた広告部３、透明板９、網材２９を示す部分正面図である。図４Ｂは、装飾板２の広告面２ａに備えられた広告部３及び透明板９について、装飾板２の側面２ｃ側から見た側面図である。尚、図４Ａ及び図４Ｂでは、説明の便宜上、つる性植物４及び栽培装置を省略している。図５Ａは、装飾板２の広告面２ａの部分正面図である。図５Ｂは、装飾板２の側面２ｃ側から見た側面図である。図５Ｃは、装飾板２の上面２ｂ側から見た部分平面図である。尚、図５Ａ乃至図５Ｃでは、説明の便宜上、供給管６、回収管７、培養液循環ユニット１０を省略している。
【００３５】
図４Ａ及び図４Ｂに示すように、装飾板２には、広告面２ａから突出するように広告部３が備えられている。広告部３は、広告体１における伝達情報を表示するための部分であり、例えば広告面２ａから突出する広告部３の端面３ａに文字やロゴマーク等の伝達情報が示されている。尚、広告部３では、端面３ａ自体を文字やロゴマーク等の形状に形成することで、伝達情報を表示してもよい。また、端面３ａに設けられる文字やロゴマークはネオン等の発光体によって形成されていてもよく、広告部３自体がネオン等の発光体によって形成されていてもよい。
【００３６】
装飾板２の広告面２ａの広告部３を除く部分には、広告面２ａに沿って網材２９が取り付けられている。広告面２ａに取り付けられた網材２９において、広告部３に対応する部分には、例えば広告部３の端面３ａの面積よりも大きい面積を有する開口２９ａが夫々形成されている。この開口２９ａを介して広告部３は広告面２ａ及び網材２９から突出している。この網材２９は、栽培槽５の開口５０から伸び出ているつる性植物４のつるを支持する。
【００３７】
広告部３の端面３ａには、透明板９が接着剤やビス等によって取り付けられている。透明板９は例えばアクリル等からなり、端面３ａを覆うとともに広告部３の周辺の広告面２ａに対向する部分を備える形状の透明な板部材である。
【００３８】
ここで、図５Ａ乃至図５Ｃを参照しつつ、装飾板２の広告面２ａにおける広告部３、透明板９（規制部材）、網材２９（規制部材）と、つる性植物４との関係について説明する。図５Ａに示すように、栽培槽５の開口５０から伸び出たつる性植物４が網材２９の網目を伝って垂下及び登坂することで、広告面２ａはつる性植物４に覆われる。この際、広告部３は、綱材２９の開口２９ａ内に設けられている。これによって、広告部３がつる性植物４によって覆われることを抑制できる。さらに、透明板９の広告面２ａに対向する部分によって、つる性植物４は、広告部３の突出方向への移動が規制されている。これによって、例えば、風等に煽られた場合であってもつる性植物４が広告部３の端面３ａを覆うことをより確実に抑制できる。また、つる性植物４の枯葉等が飛散することを抑制できる。
【００３９】
以上より、広告体１では、栽培装置によって水耕栽培されるつる性植物４が、装飾板２の上側から広告面２ａに沿って垂下するとともに装飾板２の下側から広告面２ａに沿って登坂することで、広告面２ａの広告部３を除く部分をつる性植物４によって覆うことができる。このため、つる性植物４を栽培するための培地を広告面２ａに備える必要がない分、広告体１の構造を簡易にできるとともに広告面２ａにかかる重量を軽量化できる。また、広告体１では、培地が栽培槽５の内部に収容される。これによって、培地が屋外における風雨に直接曝されることを防止でき、広告体１の耐久性を向上させることができる。さらに、雑草等の種子やつる性植物４の病原菌等が培地に混入することを抑制できるため、つる性植物４をより確実に生育することができる。
【００４０】
===第２の実施形態===
<<<外観構成について>>>
本実施形態にかかる広告体は、例えばビルの屋上に設けられる広告塔である。図６Ａ及び図６Ｂを参照しつつ、ビルの屋上に設けられた本実施形態にかかる広告体１００の外観構成について説明する。図６Ａは、広告体１００がビルの屋上に設置された場合の外観を示す斜視図である。また、図６Ｂは、説明の便宜上、図６Ａに示す広告体１００におけるつる性植物４を省略した図である。尚、図６Ａ及び図６Ｂにおいて、図１Ａ乃至図５Ｃに示す構成と同一の構成については、同一の符号を付してその説明を省略する。広告体１００は、装飾筐体２００と、広告部３と、つる性植物４とを備えている。
【００４１】
装飾筐体２００は、例えば底面が開口するように、装飾板２０１ａ、２０１ｂ、２０１ｃによって形成された筐体である。装飾板２０１ａは、広告部３及び透明板９等が備えられた広告面２００ａを備えている。装飾板２０１ｂは、装飾筐体２００の上面２００ｂを備えている。装飾板２０１ｃは、装飾筐体２００の側面２００ｃを備えている。そして、広告体１００では、広告面２００ａの広告部３を除く部分と、上面２００ｂと、側面２００ｃとがつる性植物４によって覆われている。
【００４２】
<<<装飾筐体について>>>
次に、図７、図８、図９Ａ、図９Ｂ、図１０Ａ、図１０Ｂを参照しつつ、装飾筐体２００について説明する。尚、図７は、装飾板２０１ｂを取り除いた場合の装飾筐体２００の平面図であり、装飾筐体２００の内部を示している。図８は、装飾筐体２００の装飾板２０１ｂの上面２００ｂを示す図である。図９Ａは、図８におけるａ−ａ’で切断した場合の装飾板２０１ｂと、栽培槽５、つる性植物４、載置棚２０３ｂとを示す部分断面図である。図９Ｂは、図８におけるｂ−ｂ’で切断した場合の装飾板２０１ｂと、栽培槽５と、つる性植物４と、載置棚２０３ｂとを示す部分断面図である。図１０Ａは、装飾板２０１ａの広告面２００ａを示す図である。図１０Ｂは、装飾板２０１ａの広告面２００ａの裏面側を示す図である。尚、図７、図９Ａ、図９Ｂ、図１０Ｂでは、説明の便宜上、供給管６及び回収管７を省略している。
【００４３】
図７に示すように、装飾筐体２００の内部には、前述した栽培装置と、例えばビル内の空調に備えられる室外機３０等が収容されている。図７及び図１０Ａに示すように、装飾板２０１ａには、上側及び下側に夫々水平方向に沿って複数の開口２０２ａが形成されている。図７に示すように、装飾板２０１ｃについても装飾板２０１ａと同様に、装飾板２０１ｃの上側及び下側に夫々水平方向に沿って複数の開口２０２ｃが形成されている。また、図８、図９Ａ、図９Ｂに示すように、装飾板２０１ｂには、長手方向と直行する方向の略中央に長手方向に沿って複数の開口２０２ｂが形成されている。
【００４４】
広告体１００では、装飾筐体２００の内部に備えられる栽培装置の栽培槽５に植え込まれたつる性植物４が開口２０２ａ、２０２ｂ、２０２ｃを介して装飾筐体２００の外部に伸び出て、広告面２００ａ、上面２００ｂ、側面２００ｃを夫々覆っている。
【００４５】
図９Ａ、図９Ｂに示すように、装飾板２０１ｂにおける上面２００ｂの裏面側であって、開口２０２ｂの付近には、栽培槽５が載置される載置棚２０３ｂを備えている。載置棚２０３ｂに載置された栽培槽５の開口５０から伸び出たつる性植物４が更に装飾板２０１ｂの開口２０２ｂから装飾筐体２００の外部に伸び出るようになっている。尚、装飾板２０１ｂの上面２００ｂには、つる性植物４のつるを支持する網材（不図示）が上面２００ｂに沿って配置されていてもよい。開口２０２ｂから伸び出たつる性植物４は、例えばこの網材を伝って上面２００ｂを覆っている。
【００４６】
図１０Ａ及び図１０Ｂに示すように、装飾板２０１ａにおける広告面２００ａの裏面側であって、装飾板２０１ａの上側の開口２０２ａ付近には、栽培槽５が載置される載置棚２０３ａを備えている。この載置棚２０３ａに載置された栽培槽５の開口５０から伸び出たつる性植物４が更に装飾板２０１ａの上側の開口２０２ａから装飾筐体２００の外部に伸び出るようになっている。また、装飾板２０１ａにおける広告面２００ａの裏面側であって、装飾板２０１ａの下側の開口２０２ａ付近のビルの屋上には、栽培槽５が載置されている。この栽培槽５の開口５０から伸び出たつる性植物４が更に装飾板２０１ａの下側の開口２０２ａから装飾筐体２００の外部に伸び出るようになっている。
【００４７】
装飾板２０１ａの広告面２００ａには、前述した広告面２ａと同様に、広告部３、透明板９、網材２９が備えられている。これによって、装飾板２０１ａの上側の開口２０２ａから伸び出たつる性植物４は、装飾板２０１ａの上側から網材２９を伝って垂下する。また、装飾板２０１ａの下側の開口２０２ａから伸び出たつる性植物４は、装飾板２０１ａの下側から網材２９を伝って登坂する。この際、前述したように網材２９の開口２９ａ及び透明板９の広告面２００ａに対向する部分によって、つる性植物４が広告部３を覆うことを抑制できる。
【００４８】
装飾板２０１ｃにおける側面２００ｃの裏面側においても、装飾板２０１ａにおける広告面２００ａの裏面側と同様に、装飾板２０１ｃの上側の開口２０２ｃの付近に栽培槽５が載置される載置棚２０３ｃ（図７参照）を備えている。この載置棚２０３ｃに載置された栽培槽５の開口５０から伸び出たつる性植物４が更に装飾板２０１ｃの上側の開口２０２ｃから装飾筐体２００の外部に伸び出るようになっている。また、装飾板２０１ｃにおける側面２００ｃの裏面側であって、装飾板２０１ｃの下側の開口２０２ｃ付近のビルの屋上には、栽培槽５が載置されている。この栽培槽５の開口５０から伸び出たつる性植物４が更に装飾板２０１ｃの下側の開口２０２ｃから装飾筐体２００の外部に伸び出るようになっている。尚、装飾板２０１ｃの側面２００ｃには、つる性植物４のつるを支持する網材（不図示）が側面２００ｃに沿って配置されていてもよい。開口２０２ｃから伸び出たつる性植物４は、例えばこの網材を伝って垂下又は登坂し、側面２００ｃを覆っている。
【００４９】
以上より、広告体１００では、つる性植物４によって広告面２００ａ、上面２００ｂ、側面２００ｃが夫々覆われた装飾筐体２００の内部に栽培装置及び室外機３０が収容されている。これによって、栽培装置や室外機３０が夏場の高温及び冬場の低温や、屋外の風雨に直接曝されることを防止できる。このため、栽培装置における培養液タンク１１内の培養液や、栽培槽５内のつる性植物４の根等を温度変化から保護することができ、広告体１００の耐久性をより向上させること及びつる性植物４をより確実に生育することができる。さらに、培地が栽培槽５及び装飾筐体２００の内部に収容され、屋外における風雨に曝されることをより確実に防止できるため、広告体１００の耐久性をより一層向上させることができる。また、培地に雑草等の種子やつる性植物４の病原菌等が混入することをより確実に抑制でき、つる性植物４をより確実に生育することができる。
【００５０】
また、屋外における温度変化や風雨によって室外機３０等にかかる負荷を軽減できる。尚、装飾筐体２００内には、室外機３０に限らず、給水タンクや変圧器等のビルの屋上等において温度変化や風雨に曝されることが好ましくないものを収容することができる。
【００５１】
また、広告体１００では、つる性植物４を垂下又は登坂させることで広告面２００ａの広告部３を除く部分と、上面２００ｂと、側面２００ｃとを覆うことができる。これによって、つる性植物４を栽培するための培地を広告面２００ａ、上面２００ｂ、側面２００ｃに備える必要がない分、広告体１００の構造を簡易にできるとともに広告面２００ａ、上面２００ｂ、側面２００ｃにかかる重量を軽量化できる。よって、広告体１００の耐久性をより向上させることができる。
【００５２】
===第３の実施形態===
本実施形態にかかる広告体３００について、図１１Ａ及び図１１Ｂを参照しつつ説明する。図１１Ａは、広告体３００の広告面３００ａを示す図である。図１１Ｂは、広告体３００の側面を示す図である。尚、図１１Ａ及び図１１Ｂでは、説明の便宜上、栽培装置及びつる性植物４を省略している。また、図１１Ａ及び図１１Ｂにおいて、図１Ａ乃至図１０Ｂに示す構成と同一の構成については、同一の符号を付してその説明を省略する。広告体３００は、前述した広告体１における広告面２ａのかわりに広告面３００ａを備えている。
【００５３】
広告面３００ａは、前述した広告部３のかわりに広告部３０１を備え、網材２９のかわりに網材３０４を備えている。広告部３０１は、広告面３００ａから突出する突出棒３０２と、突出棒３０２の端面に対して接着剤やビス等によって取り付けられた表示板３０３とを備えている。表示板３０３は、広告体３００における伝達情報を表示するための部分であり、例えば文字やロゴマーク等の伝達情報が示されている。尚、表示板３０３では、表示板３０３自体を文字やロゴマーク等の形状に形成することで、伝達情報を表示してもよい。網材３０４は、広告面３００ａに対して、広告面３００ａに沿って取り付けられ、栽培槽５の開口５０から伸び出ているつる性植物４のつるを支持する。
【００５４】
このような広告体３００では、表示板３０３と広告面３００ａとの間に配置されるつる性植物４は、表示板３０３によって、同表示板３０３よりも広告面３００ａとは反対側へ移動することを規制される。このため、例えば、風等に煽られた場合であってもつる性植物４が表示板３０３を覆うことを抑制できる。
【００５５】
===第４の実施形態===
本実施形態にかかる広告体４００について、図１２を参照しつつ説明する。尚、図１２において、図１Ａ乃至図１１Ｂに示す構成と同一の構成については、同一の符号を付してその説明を省略する。広告体４００は、前述した広告体１００における装飾板２０１ａの上側の開口２０２ａから伸び出るつる性植物４と、装飾板２０１ａの下側の開口２０２ａから伸び出るつる性植物４とで異なる色彩の葉を有している。これによって、広告体４００では、例えば広告面２００ａにおいて上側４００ａと下側４００ｂとで異なる色彩を有することとなり、広告体としてのバリエーションを増やすことができる。
【００５６】
尚、装飾板２０１ｃの側面２００ｃについても同様に、装飾板２０１ｃの上側の開口２０２ｃから伸び出るつる性植物４と、装飾板２０１ｃの下側の開口２０２ｃから伸び出るつる性植物４とで色彩の異なる葉を有していることとしてもよい。
【００５７】
また、広告体４００では、広告面２００ａにおける上側と下側とでつる性植物４の葉を異なる色彩とすることに限られない。例えば、隣り合うつる性植物４の葉の色彩を異なるものにしたり、広告面２００ａの水平方向の中心を境としてつる性植物４の葉の色彩を異なるものとしたり、任意の組み合わせを採用することができる。側面２００ｃについても同様である。
【００５８】
===その他の実施形態===
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００５９】
前述した広告体１では、装飾板２における広告面２ａの広告部３を除く部分をつる性植物４によって覆うこととしたが特にこれに限定されるものではなく、更に、装飾板２における側面２ｃもつる性植物４によって覆うこととしてもよい。この場合、装飾板２の上面２ｂに載置される栽培槽５における蓋５２の短辺側の側板に開口５０を設け、この開口５０から伸び出たつる性植物４を垂下させることで装飾板２の側面２ｃを覆うことができる。また、装飾板２における側面２ｃに、この側面２ｃに沿って網材（不図示）を取り付け、装飾板２の上面２ｂに載置される栽培槽５又はビルの屋上の装飾板２付近に載置される栽培槽５の開口５０から伸び出たつる性植物４がこの網材を伝うことで側面２ｃが覆われることとしてもよい。
【００６０】
また、前述した広告体１では、装飾板２の上面２ｂの上と、ビルの屋上の装飾板２付近の両方に栽培槽５を載置することとした。これによって、栽培槽５の開口５０から伸び出たつる性植物４が、装飾板２の上側から広告面２ａに沿って垂下するとともに装飾板２の下側から広告面２ａに沿って登坂することで、広告面２ａの広告部３を除く部分をつる性植物４によって覆うこととした。しかし、特にこれに限定されるものではない。例えば、栽培槽５は、装飾板２の上面２ｂの上及びビルの屋上の装飾板２付近の少なくとも何れか一方に備えられ、装飾板２の上側から広告面２ａに沿って垂下するつる性植物４又は装飾板２の下側から広告面２ａに沿って登坂するつる性植物４の少なくとも何れか一方によって広告面２ａの広告部３を除く部分が覆われることとしてもよい。これは、広告体１００、３００、４００についても同様であり、栽培槽５は、載置棚２０３ａ、２０３ｃ又はビルの屋上の装飾板２０１ａ、２０１ｃ付近の少なくとも何れか一方に載置されることとしてもよい。
【００６１】
また、前述した広告体１、１００では、透明板９及び網材２９によって、つる性植物４の移動を規制することとしたが、特にこれに限定されるものではない。例えば、広告体１、１００では、透明板９及び網材２９の少なくとも一方を備えることとしてもよい。尚、網材２９を備えない場合、広告体１では、つる性植物４が装飾板２の上側から垂下するように、栽培槽５は装飾板２の上面２ｂに載置されることとする。また、網材２９を備えない場合、広告体１００では、つる性植物４が装飾板２０１ａ、２０１ｃの上側から垂下するように、栽培槽５は少なくとも載置棚２０３ａ、２０３ｃに載置されることとする。
【００６２】
また、前述した広告体１では、装飾板２及び網材２９を両方備えることとしたが特にこれに限定されるものではなく、例えば、網材２９を備えず、装飾板２自体が網材から形成されていることとしてもよい。この場合、更に広告体１を軽量化することができる。これは、広告体１００、３００、４００についても同様であり、網材２９、３０４を備えず、装飾板２０１ａ、２０１ｂ、２０１ｃ自体が網材から形成されていることとしてもよい。
【００６３】
また、前述した広告体１では、装飾板２をビルの屋上に設置される看板としたが、特にこれに限定されるものではない。ビルの壁面自体を装飾板２として、つる性植物４によって覆ってもよい。
【００６４】
また、前述した広告体１、１００、３００、４００では、栽培槽５の蓋５２に開口５０が形成されていることとした。しかし特にこれに限定されるものではなく、例えば、栽培槽本体５１に、つる性植物４のつるを栽培槽５の外部へと導くための開口が形成されていてもよい。更に、栽培槽５は、蓋５２を備えないこととしてもよい。
【００６５】
また、前述した広告体１、１００、３００、４００はビルの屋上に設置されることとしたが、特にこれに限定されるものではなく、例えば屋内に設置されてもよい。
【００６６】
また、前述した広告体１００では、広告面２００ａの広告部３を除く部分と、上面２００ｂと、側面２００ｃとがつる性植物４によって覆われていることとした。しかし、特にこれに限定されるものではなく、少なくとも、広告面２００ａの広告部３を除く部分がつる性植物４によって覆われていればよい。これは、広告体３００、４００についても同様である。
【００６７】
また、前述した広告体１００では、栽培槽５が装飾筐体２００の内部に収容されていることとしたが、特にこれに限定されるものではない。例えば、栽培槽５は、装飾板２０１ｂの上や、ビルの屋上の装飾板２０１ａの広告面２００ａの下側付近等、装飾板２０１ａの広告部３０１を除く近傍に配置されていればよい。これは、広告体３００、４００についても同様である。
【００６８】
また、前述した広告体１００では、装飾板２０１ａ、２０１ｂ、２０１ｃによって、底面が開口する筐体である装飾筐体２００が形成されることとしたが、特にこれに限定されるものではない。例えば底面が開口する多面体等、装飾板によって所定の空間を取り囲むことが可能な形状が形成されればよい。
【００６９】
また、前述した広告体３００は、広告体１における広告面２ａのかわりに広告面３００ａを備えていることとしたが、広告体１００における広告面２００ａのかわりに広告面３００ａを備えることとしてもよい。
【００７０】
また、前述した広告体４００では、広告体１００における装飾板２０１ａの上側の開口２０２ａから伸び出るつる性植物４と、装飾板２０１ａの下側の開口２０２ａから伸び出るつる性植物４とで異なる色彩の葉を有していることとした。しかし、特にこれに限定されるものではく、広告体１における広告面２ａにおいて同様に、装飾板２の上側から垂下するつる性植物４と、装飾板２の下側から登坂するつる性植物４とで色彩の異なる葉を有していることとしてもよい。
【符号の説明】
【００７１】
１、１００、３００、４００…広告体，２、２０１ａ、２０１ｂ、２０１ｃ…装飾板，２ａ、２００ａ、３００ａ…広告面，２ｂ、２００ｂ…上面，２ｃ、２００ｃ…側面，３、３０１…広告部，３ａ…端面，４…つる性植物，５…栽培槽，６…供給管，７…回収管，８…ポット，９…透明板，１０…培養液循環ユニット，１１…培養液タンク，１２、１３…ディスクフィルタ，１４…ヒータ，１５…サーモコントローラ，１６…吸引口，１７…ポンプ，１８…電磁弁，１９…タイムスイッチ，２０…培養液生成部，２１…ボールバルブ，２２…液肥混入器，２３…液肥タンク，２４…浮き玉，２５…給水管，２６…流路，２７…紫外線滅菌装置、２８…箱型フレーム，２９、３０４…網材，２９ａ、５０、２０２ａ、２０２ｂ、２０２ｃ…開口，３０…室外機，５１…栽培槽本体，５１ａ…上流側板，５１ｂ…下流側板，５２…蓋，５３…供給口,５４…排水口，６０…噴射口，２００…装飾筐体，２０３ａ、２０３ｂ、２０３ｃ…載置棚，３０２…突出棒，３０３…表示板，４００ａ…上側，４００ｂ…下側
【図１Ａ】
0005595890.tif 000002
【図１Ｂ】
0005595890.tif 000003
【図２】
0005595890.tif 000004
【図３】
0005595890.tif 000005
【図４Ａ】
0005595890.tif 000006
【図４Ｂ】
0005595890.tif 000007
【図５Ａ】
0005595890.tif 000008
【図５Ｂ】
0005595890.tif 000009
【図５Ｃ】
0005595890.tif 000010
【図６Ａ】
0005595890.tif 000011
【図６Ｂ】
0005595890.tif 000012
【図７】
0005595890.tif 000013
【図８】
0005595890.tif 000014
【図９Ａ】
0005595890.tif 000015
【図９Ｂ】
0005595890.tif 000016
【図１０Ａ】
0005595890.tif 000017
【図１０Ｂ】
0005595890.tif 000018
【図１１Ａ】
0005595890.tif 000019
【図１１Ｂ】
0005595890.tif 000020
【図１２】
0005595890.tif 000021